(57)【要約】【課題】アウタ端子の加締部による締め付け力を緩和することができ、芯線の断線を防止することができる同軸線用端子を提供する。【解決手段】芯線３と絶縁体５と編組７とシース９とを有する同軸線１１と、同軸線１１の芯線３に接続されるインナ端子１３と、同軸線１１の編組７を加締めて接続される加締部１５を有するアウタ端子１７と、誘電率を有する整合部材１９とを備えた同軸線用端子１において、同軸線１１の絶縁体５が、内側絶縁部２１と、外側絶縁部２３と、内側絶縁部２１と外側絶縁部２３とで形成される空間部２５とを有し、インナ端子１３と整合部材１９とに、絶縁体５の空間部２５に挿入される挿入部２７を同軸線１１の長さ方向にそれぞれ延設させ、挿入部２７を、絶縁体５の空間部２５に挿入された状態で、アウタ端子１７の加締部１５を越える長さに設定した。【選択図】図８
2015099714.tif 000002
【特許請求の範囲】
【請求項１】
芯線の外周が絶縁体で覆われこの絶縁体の外周に編組が配置されこの編組の外周がシースによって被覆された同軸線と、この同軸線の端末部に配置され前記絶縁体から露出する前記芯線に接続されるインナ端子と、前記同軸線の端末部で前記インナ端子の外周側に配置され前記シースから露出する前記編組を加締めて接続される加締部を有するアウタ端子と、前記同軸線の端末部で前記インナ端子と前記アウタ端子との間に配置され前記インナ端子と前記アウタ端子との絶縁状態を保持する誘電率を有する整合部材とを備えた同軸線用端子であって、
前記同軸線の絶縁体は、前記芯線の外周を覆う内側絶縁部と、前記編組によって外周が覆われる外側絶縁部と、前記内側絶縁部と前記外側絶縁部とで形成される空間部とを有し、
前記インナ端子と前記整合部材とのうち少なくともいずれか一方には、前記絶縁体の空間部に挿入される挿入部が前記同軸線の長さ方向に延設され、
前記挿入部は、前記絶縁体の空間部に挿入された状態で、前記アウタ端子の加締部を越える長さに設定されていることを特徴とする同軸線用端子。
【請求項２】
請求項１記載の同軸線用端子であって、
前記挿入部は、前記絶縁体の空間部に圧入されることを特徴とする同軸線用端子。
【発明の詳細な説明】
【技術分野】
【０００１】
本発明は、同軸線の端末部に配置される同軸線用端子に関する。
【背景技術】
【０００２】
従来、同軸線用端子としては、芯線としての内導体の外周が絶縁体で覆われこの絶縁体の外周に編組が配置されこの編組の外周がシースによって被覆された同軸線と、この同軸線の端末部に配置され絶縁体から露出する内導体に接続されるインナ端子としての内導体端子と、同軸線の端末部で内導体端子の外周側に配置されシースから露出する編組を加締めて接続される加締部を有するアウタ端子としての外導体端子と、同軸線の端末部で内導体端子と外導体端子との間に配置され内導体端子と外導体端子との絶縁状態を保持する誘電率を有する整合部材としての誘電体とを備えたものが知られている（例えば、特許文献１参照）。
【０００３】
この同軸線用端子では、外導体端子の加締部が一対の編組圧着片を有しており、この一対の編組圧着片を圧着機によって同軸線の編祖に圧着させることによって、外導体端子と同軸線の編組とが電気的に接続される。
【先行技術文献】
【特許文献】
【０００４】
【特許文献１】特開２００８−２７８８１号公報
【発明の概要】
【発明が解決しようとする課題】
【０００５】
ところで、上記特許文献１のような同軸線用端子では、アウタ端子の加締部を同軸線の編組に加締めて接続させているので、加締部の締め付け力を大きくすれば、アウタ端子の同軸線に対する固着力も大きくなり、アウタ端子と同軸線の編組との接続信頼性が向上する。
【０００６】
しかしながら、アウタ端子の加締部の締め付け力を大きくしてしまうと、同軸線の圧縮率が大きくなるので、同軸線の中心に位置する芯線にかかる応力が大きくなり、芯線が断線してしまう恐れがあった。
【０００７】
そこで、この発明は、アウタ端子の加締部による締め付け力を緩和することができ、芯線の断線を防止することができる同軸線用端子の提供を目的としている。
【課題を解決するための手段】
【０００８】
請求項１記載の発明は、芯線の外周が絶縁体で覆われこの絶縁体の外周に編組が配置されこの編組の外周がシースによって被覆された同軸線と、この同軸線の端末部に配置され前記絶縁体から露出する前記芯線に接続されるインナ端子と、前記同軸線の端末部で前記インナ端子の外周側に配置され前記シースから露出する前記編組を加締めて接続される加締部を有するアウタ端子と、前記同軸線の端末部で前記インナ端子と前記アウタ端子との間に配置され前記インナ端子と前記アウタ端子との絶縁状態を保持する誘電率を有する整合部材とを備えた同軸線用端子であって、前記同軸線の絶縁体は、前記芯線の外周を覆う内側絶縁部と、前記編組によって外周が覆われる外側絶縁部と、前記内側絶縁部と前記外側絶縁部とで形成される空間部とを有し、前記インナ端子と前記整合部材とのうち少なくともいずれか一方には、前記絶縁体の空間部に挿入される挿入部が前記同軸線の長さ方向に延設され、前記挿入部は、前記絶縁体の空間部に挿入された状態で、前記アウタ端子の加締部を越える長さに設定されていることを特徴とする。
【０００９】
この同軸線用端子では、インナ端子と整合部材とのうちいずれか一方に設けられた挿入部が、絶縁体の空間部に挿入された状態で、アウタ端子の加締部を越える長さに設定されているので、加締部によって芯線にかかる締め付け力を挿入部によって緩和することができ、加締部の締め付け力増大による芯線の断線を防止することができる。
【００１０】
従って、このような同軸線用端子では、アウタ端子の加締部の位置にインナ端子と整合部材とのうちいずれか一方に設けられた挿入部が配置されるので、アウタ端子の加締部による締め付け力を緩和することができ、芯線の断線を防止することができる。
【００１１】
また、整合部材に挿入部が設けられている場合には、挿入部がアウタ端子の加締部を越える長さに設定されているので、整合部材が同軸線の編組が露出する部分まで配置されることになり、インピーダンス整合を取ることができる。
【００１２】
請求項２記載の発明は、請求項１記載の同軸線用端子であって、前記挿入部は、前記絶縁体の空間部に圧入されることを特徴とする。
【００１３】
この同軸線用端子では、挿入部が、絶縁体の空間部に圧入されるので、インナ端子と整合部材とが同軸線に対して位置ズレを起こすことがなく、同軸線に対するインナ端子と整合部材との固定を安定化させることができる。
【発明の効果】
【００１４】
本発明によれば、アウタ端子の加締部による締め付け力を緩和することができ、芯線の断線を防止することができる同軸線用端子を提供することができるという効果を奏する。
【図面の簡単な説明】
【００１５】
【図１】本発明の実施の形態に係る同軸線用端子の分解斜視図である。
【図２】（ａ）は本発明の実施の形態に係る同軸線用端子の同軸線の斜視図である。（ｂ）は図２（ａ）の一部断面図である。
【図３】本発明の実施の形態に係る同軸線用端子のインナ端子の斜視図である。
【図４】（ａ）は本発明の実施の形態に係る同軸線用端子の整合部材の斜視図である。（ｂ）は図４（ａ）の断面図である。
【図５】（ａ）は本発明の実施の形態に係る同軸線用端子の同軸線の側面図である。（ｂ）は図５（ａ）の断面図である。
【図６】本発明の実施の形態に係る同軸線用端子のインナ端子と整合部材とを同軸線に組付けるときの断面図である。
【図７】本発明の実施の形態に係る同軸線用端子のインナ端子と整合部材とを同軸線に組付けたときの断面図である。
【図８】（ａ）は本発明の実施の形態に係る同軸線用端子の断面図である。（ｂ）は図８（ａ）のＸ−Ｘ断面図である。
【発明を実施するための形態】
【００１６】
図１〜図８を用いて本発明の実施の形態に係る同軸線用端子について説明する。
【００１７】
本実施の形態に係る同軸線用端子１は、芯線３の外周が絶縁体５で覆われこの絶縁体５の外周に編組７が配置されこの編組７の外周がシース９によって被覆された同軸線１１と、この同軸線１１の端末部に配置され絶縁体５から露出する芯線３に接続されるインナ端子１３と、同軸線１１の端末部でインナ端子１３の外周側に配置されシース９から露出する編組７を加締めて接続される加締部１５を有するアウタ端子１７と、同軸線１１の端末部でインナ端子１３とアウタ端子１７との間に配置されインナ端子１３とアウタ端子１７との絶縁状態を保持する誘電率を有する整合部材１９とを備えている。
【００１８】
また、同軸線１１の絶縁体５は、芯線３の外周を覆う内側絶縁部２１と、編組７によって外周が覆われる外側絶縁部２３と、内側絶縁部２１と外側絶縁部２３とで形成される空間部２５とを有する。
【００１９】
さらに、インナ端子１３と整合部材１９とには、絶縁体５の空間部２５に挿入される挿入部２７が同軸線１１の長さ方向にそれぞれ延設されている。
【００２０】
そして、挿入部２７は、絶縁体５の空間部２５に挿入された状態で、アウタ端子１７の加締部１５を越える長さに設定されている。
【００２１】
また、挿入部２７は、絶縁体５の空間部２５に圧入される。
【００２２】
図１〜図８に示すように、同軸線１１は、芯線３と、絶縁体５と、編組７と、シース９とを備えている。芯線３は、導電性材料からなる複数の素線が撚り合わせられている。この芯線３の外周は、絶縁体５によって覆われている。
【００２３】
絶縁体５は、合成樹脂などの絶縁性材料からなり、内側絶縁部２１と、外側絶縁部２３と、空間部２５とを備えている。
【００２４】
内側絶縁部２１は、芯線３の外周を覆うように芯線３の外周に密着して設けられている。この内側絶縁部２１の外周には、周方向等間隔に径方向の外方に向けて複数（ここでは４つ）の支持部２９が連続する一部材で形成され、この複数の支持部２９を介して外側絶縁部２３が配置されている。
【００２５】
外側絶縁部２３は、支持部２９の外径側に支持部２９と連続する一部材で形成され、外周が編組７によって覆われている。この外側絶縁部２３と内側絶縁部２１と支持部２９との間には、複数の空間部２５が設けられている。
【００２６】
空間部２５は、内側絶縁部２１の外周と外側絶縁部２３の内周との間に形成された空間からなり、支持部２９によって複数（ここでは４つ）に区画されている。この空間部２５を形成する外側絶縁部２３の外周には、編組７が配置されている。
【００２７】
編組７は、導電性材料からなる複数の素線が編み込まれて形成され、外側絶縁部２３の外周を覆うように配置されている。この編組７の外周は、シース９によって覆われている。
【００２８】
シース９は、合成樹脂などの絶縁性材料からなり、編組７の外周を覆うように編組７の外周に密着して設けられている。
【００２９】
このように構成された同軸線１１は、端末部において、芯線３と編組７とが露出される端末処理を行われ、露出する芯線３にインナ端子１３が接続され、露出する編組７にアウタ端子１７が接続される。
【００３０】
インナ端子１３は、導電性材料からなり、箱状の接続部３１を有する雌型端子からなる。このインナ端子１３は、同軸線１１の芯線３に対して圧着部３３を圧着させることにより、芯線３と電気的に接続される。
【００３１】
このようなインナ端子１３は、例えば、電源や機器などに接続された雄型端子からなる相手端子（不図示）の接続部が接続部３１に挿入されることによって、相手端子と電気的に接続され、電源や機器などと同軸線１１とが電気的に接続される。このインナ端子１３の外周側には、アウタ端子１７が配置される。
【００３２】
アウタ端子１７は、導電性材料からなり、例えば、インナ端子１３を収容するハウジング（不図示）の外周に配置される筒状部３５を有する。このアウタ端子１７は、同軸線１１の編組７に対して加締部１５を加締めることにより編組７に電気的に接続され、同軸線１１のシース９に対して固定部３７を加締めることにより同軸線１１に固定される。
【００３３】
このようなアウタ端子１７は、治具などによって加締部１５を同軸線１１の編組７に加締めて編組７に電気的に接続されることにより、芯線３からのノイズなどの漏洩や芯線３へのノイズなどの侵入を防止するシールド回路を形成する。このアウタ端子１７とインナ端子１３との間には、同軸線１１の端末部において、整合部材１９が配置されている。
【００３４】
整合部材１９は、例えば、ポリブチレンテレフタレート（ＰＢＴ）、液晶ポリマー（ＬＣＰ）などの誘電率を有する絶縁性の合成樹脂材料からなり、環状に形成され、同軸線１１の端末部において、インナ端子１３とアウタ端子１７との間の絶縁状態を保持する。この整合部材１９は、用いる合成樹脂材料を変更することにより、誘電率を制御することができる。
【００３５】
このような整合部材１９には、中央部に貫通孔３９が設けられ、同軸線１１の端末部に配置された状態で、貫通孔３９に同軸線１１の芯線３が挿通される。この貫通孔３９を挿通した芯線３は、インナ端子１３の圧着部３３に圧着されて電気的に接続される。
【００３６】
この整合部材１９とインナ端子１３とには、それぞれ同軸線１１側に向けて同軸線１１の長さ方向に挿入部２７が延設され、この挿入部２７は、同軸線１１の絶縁体５に形成された空間部２５に挿入される。
【００３７】
インナ端子１３の挿入部２７は、圧着部３３から同軸線１１側に向けて連続する一部材で延設されている。このインナ端子１３の挿入部２７は、同軸線１１の端末部に整合部材１９が配置された状態で、整合部材１９の貫通孔３９を挿通し、同軸線１１の絶縁体５に形成された複数の空間部２５のうち１つの空間部２５に圧入される。
【００３８】
このようにインナ端子１３の挿入部２７を同軸線１１の絶縁体５に形成された空間部２５に圧入させることにより、インナ端子１３を同軸線１１に対して安定して固定させることができる。このインナ端子１３の挿入部２７が挿入される空間部２５以外の他の空間部２５には、整合部材１９の挿入部２７が挿入される。
【００３９】
整合部材１９の挿入部２７は、同軸線１１側の端面から周方向の複数箇所（ここでは３箇所）で同軸線１１側に向けて連続する一部材で延設されている。この整合部材１９の挿入部２７は、同軸線１１の端末部に配置される際に、同軸線１１の絶縁体５に形成されたインナ端子１３の挿入部２７が挿入される空間部２５以外の他の空間部２５に圧入される。
【００４０】
このように整合部材１９の挿入部２７を同軸線の絶縁体５に形成されたインナ端子１３の挿入部２７が挿入される空間部２５以外の他の空間部２５に圧入させることにより、整合部材１９を同軸線１１に対して安定して固定させることができると共に、インナ端子１３の挿入部２７が挿入される空間部２５と貫通孔３９との位置が合わされた状態を確実に保持することができる。
【００４１】
このようなインナ端子１３と整合部材１９とにそれぞれ設けられた挿入部２７は、同軸線１１側に向けた延設長さが、同軸線１１の絶縁体５の空間部２５に圧入された状態で、アウタ端子１７の加締部１５を越える長さに設定されている。
【００４２】
このため、インナ端子１３と整合部材１９とが同軸線１１に組付けられた状態では、同軸線１１のアウタ端子１７の加締部１５を加締める位置に挿入部２７が配置される。このように挿入部２７が配置された同軸線１１の編組７に対してアウタ端子１７の加締部１５を加締めることにより、図８（ｂ）の矢印で示すような、加締部１５によって芯線３にかかる締め付け力を挿入部２７によって緩和することができ、加締部１５の締め付け力増大による芯線３の断線を防止することができる。
【００４３】
一方、同軸線１１の編組７が露出する端末部では、整合部材１９の挿入部２７が、同軸線１１の絶縁体５の空間部２５に圧入された状態で、アウタ端子１７の加締部１５を越える長さに設定されているので、整合部材１９が同軸線１１の編組７が露出する部分まで配置されることになり、インピーダンス整合を取ることができる。
【００４４】
このような同軸線用端子１の同軸線１１に対する組付は、まず、同軸線１１の芯線３と編組７とが露出するように、同軸線１１の端末処理を行う。次に、同軸線１１の端末部に対して、同軸線１１の芯線３を整合部材１９の貫通孔３９に挿入させると共に、整合部材１９の挿入部２７を同軸線１１の絶縁体５の空間部２５に圧入させ、整合部材１９を同軸線１１に組付ける。
【００４５】
次に、整合部材１９の貫通孔３９からインナ端子１３の挿入部２７を挿入し、同軸線１１の絶縁体５の空間部２５に圧入させ、インナ端子１３を同軸線１１に組付ける。次に、インナ端子１３の圧着部３３を同軸線１１の芯線３に圧着させ、インナ端子１３と芯線３とを電気的に接続する。
【００４６】
そして、同軸線１１の端末部に対して、アウタ端子１７を配置させ、アウタ端子１７の加締部１５を同軸線１１の編組７に加締めてアウタ端子１７と編組７とを電気的に接続すると共に、アウタ端子１７の固定部３７を同軸線１１のシース９に加締めてアウタ端子１７を同軸線１１に組付ける。
【００４７】
このような同軸線用端子１では、インナ端子１３と整合部材１９とにそれぞれ設けられた挿入部２７が、絶縁体５の空間部２５に挿入された状態で、アウタ端子１７の加締部１５を越える長さに設定されているので、加締部１５によって芯線３にかかる締め付け力を挿入部２７によって緩和することができ、加締部１５の締め付け力増大による芯線３の断線を防止することができる。
【００４８】
従って、このような同軸線用端子１では、アウタ端子１７の加締部１５の位置にインナ端子１３と整合部材１９とにそれぞれ設けられた挿入部２７が配置されるので、アウタ端子１７の加締部１５による締め付け力を緩和することができ、芯線３の断線を防止することができる。
【００４９】
また、整合部材１９に設けられた挿入部２７は、アウタ端子１７の加締部１５を越える長さに設定されているので、整合部材１９が同軸線１１の編組７が露出する部分まで配置されることになり、インピーダンス整合を取ることができる。
【００５０】
さらに、挿入部２７は、絶縁体５の空間部２５に圧入されるので、インナ端子１３と整合部材１９とが同軸線１１に対して位置ズレを起こすことがなく、同軸線１１に対するインナ端子１３と整合部材１９との固定を安定化させることができる。
【００５１】
なお、本発明の実施の形態に係る同軸線用端子では、インナ端子と整合部材とにそれぞれ挿入部が設けられているが、これに限らず、インナ端子のみ、或いは整合部材のみに挿入部を設けてもよい。
【００５２】
また、整合部材の挿入部は、複数設けられているが、これに限らず、インナ端子に挿入部を複数設ける、或いはインナ端子と整合部材とにそれぞれ挿入部を１つ設けるなど、挿入部の数は挿入される同軸線の絶縁体の空間部に合わせて設定すればよい。
【符号の説明】
【００５３】
１…同軸線用端子
３…芯線
５…絶縁体
７…編組
９…シース
１１…同軸線
１３…インナ端子
１５…加締部
１７…アウタ端子
１９…整合部材
２１…内側絶縁部
２３…外側絶縁部
２５…空間部
２７…挿入部
【図１】
2015099714.tif 000003
【図２】
2015099714.tif 000004
【図３】
2015099714.tif 000005
【図４】
2015099714.tif 000006
【図５】
2015099714.tif 000007
【図６】
2015099714.tif 000008
【図７】
2015099714.tif 000009
【図８】
2015099714.tif 000010